(57)【要約】 【課題】  本発明は、ブロックを簡単に吊り下げて、安全に持ち運ぶことができるようにすることを目的とするものである。【解決手段】  本発明は、上面板、上面板の左右両端に取り付け、下側をブロックの大きさに切り取り、左右突起を設けた左右側面板及び左右側面板の間に取り付けた回転可能なローラーからなる本体と、回動可能な背面板、背面板にコの字型に取り付けられ、本体の上面板に設けた孔に掛け、背面板を回動させる左右嵌め込み板、前記背面板の底にＬ字状に取り付けた底面板、本体の左右側面板の背面側に設けた孔と同じ高さになるように背面板に取り付けた固定部材及び左右嵌め込み板に設けたひも掛け部材からなる可動板と、可動板の固定部材に巻き本体のローラーに掛けた左右ひも、左右ひもと可動板のひも掛け部材を繋ぐ左右背面板用ひも及び左右ひも及び左右背面用ひもを繋ぐ掛けひもからなるロープとからなることを特徴とするブロック吊り下げ器の構成とした。【選択図】  図１
2005132602.tif 000002
【特許請求の範囲】
【請求項１】
中央に溝を設けた上面板、前記上面板の左右両端に取り付け左右突起を設けた左右側面板及び前記左右側面板間に取り付けたローラーからなる本体と、前記本体の上面板に、固定部材を有するとともに底面板を有する背面板及びひも掛け部材を取り付けた左右嵌め込み板を回動可能に取り付けた可動板と、前記可動板の固定部材に取り付けるとともにひも掛け部材に巻きつけ、ローラーに掛けるロープとからなることを特徴とするブロック吊り下げ器。
【請求項２】
本体の左右側面板の左右突起を取り除き、前記左右側面板の間に先端が下に曲がっている押さえ用板を取り付けたことを特徴とする請求項１記載のブロック吊り下げ器。
【請求項３】
本体の左右側面板の左右突起に大きさの異なる突起調整板を取り付けたことを特徴とする請求項１又は請求項２記載のブロック吊り下げ器。
【請求項４】
本体の左右側面板の左右垂下板にブロックの幅となるように垂下板調整板を取り付けたことを特徴とする請求項１、請求項２又は請求項３記載のブロック吊り下げ器。
【請求項５】
横板及び縦板からなり、前記横板に垂直に前記縦板を取り付けた目地幅調整板を用いることを特徴とする請求項１、請求項２、請求項３又は請求項４記載のブロック吊り下げ器。
【請求項６】
下面にブロックの幅の溝を空け、上面に基準線を引いた位置調整板を用いることを特徴とする請求項１、請求項２、請求項３、請求項４又は請求項５記載のブロック吊り下げ器。
【請求項７】
上下調整板を先端が狭くなるように合わせ、前記上下調整板の他端をボルト及びナットで繋げた高さ調整器具を用いることを特徴とする請求項１、請求項２、請求項３、請求項４、請求項５又は請求項６記載のブロック吊り下げ器。
【発明の詳細な説明】
【技術分野】
【０００１】
本発明は、ブロックを吊り下げて持ち運ぶことができるブロック吊り下げ器に関する発明である。
【背景技術】
【０００２】
従来においては、特許文献１や特許文献２のように、左右２本のアームでブロックを挟み込んで固定し、ブロックの下側に爪を差し込んで引っ掛けることにより吊り上げる発明が公開されている。
【特許文献１】特開２００２−０８８８９８号公報
【特許文献２】特開２００３−２４６５８０号公報
【発明の開示】
【発明が解決しようとする課題】
【０００３】
しかしながら、アームでブロックを挟み込んだだけでは安定性が悪く、振動などで揺れたりすると、ブロックが落下してしまう危険性がある。特に、ブロックは重量が大きいので、しっかりと固定して持ち運ぶ必要がある。
【０００４】
そこで、本発明は、ブロックを簡単に吊り下げて、安全に持ち運ぶことができるようにすることを目的とするものである。
【課題を解決するための手段】
【０００５】
本発明は、上記の課題を解決するために、ブロックを上側から支える本体とブロックを下側から支える可動板とブロックを吊り下げるロープとからなり、前記本体は、前側中央に溝を設けた上面板、前記上面板の左右両端に取り付け、下側をブロックの大きさに切り取り、左右突起を設けた左右側面板及び前記左右側面板の間に取り付けた回転可能なローラーからなり、前記可動板は、回動可能な背面板、前記背面板にコの字型に取り付けられ、前記本体の上面板に設けた孔に掛け、前記背面板を回動させる左右嵌め込み板、前記背面板の底にＬ字状に取り付けた底面板、前記本体の左右側面板の背面側に設けた孔と同じ高さになるように前記背面板に取り付けた固定部材及び前記左右嵌め込み板に設けたひも掛け部材からなり、前記ロープは、前記可動板の固定部材に巻き、前記本体のローラーに掛けた左右ひも、前記左右ひもよりも短く、前記左右ひもと前記可動板のひも掛け部材を繋ぐ左右背面板用ひも及び前記左右ひも及び左右背面用ひもを繋ぐ掛けひもからなることを特徴とするブロック吊り下げ器の構成とした。
【発明の効果】
【０００６】
本発明は、以上の構成であるから以下の効果が得られる。第１に、ブロックの上面を固定した後、持ち上げてあった背面板を下ろすだけでブロックの下面を押さえることができるので、簡単に吊り下げる準備ができる。
【０００７】
第２に、ブロックの上面、背面及び下面を固定できるので安定性があり、振動などの揺れが生じても、ブロックを安全に持ち運ぶことができる。
【０００８】
第３に、ブロックの幅が異なっている場合でも挟み込んで吊り下げることが可能で、様々な形状のものに対して利用することができるので、ブロック以外のコンクリート製品や石など持ちにくいものに対しても応用可能である。
【発明を実施するための最良の形態】
【０００９】
塀などに用いる一般的なブロックに対して使用し、複数のブロックを並べて積み上げる際に有効である。
【実施例１】
【００１０】
以下に、添付図面に基づいて、本発明であるについて詳細に説明する。図１は、本発明であるブロック吊り下げ器の斜視図である。ブロック吊り下げ器１は、本体１ａと可動板１ｂとロープ１ｃとからなり、本体１ａの上面板２にある左右嵌め込み用孔２ａ、２ｂに、可動板１ｂの左右嵌め込み板４ａ、４ｂの先端を背面側から掛けてある。本体１ａと可動板１ｂの材質は、アルミニウム等の金属製や木製など、材料は問わない。
【００１１】
本体１ａは、上面板２、左右側面板３、３ａ及びローラー５からなり、上面板２の左右両端は下方向へ左右側面板３、３ａが伸びていて、左右側面板３、３ａの中程に左右通し穴３ｊ、３ｋを空け、ローラー５を通し、左右固定用金具５ａ、５ｂで固定している。
【００１２】
上面板２には、左右両端付近に左右嵌め込み板４ａ、４ｂを掛けるための左右嵌め込み用孔２ａ、２ｂが空けられ、中心付近には左右上面ひも用孔２ｃ、２ｄが空けられている。また、前側中央には、鉄筋１６が当たらないように鉄筋用溝２ｅが切り込まれている。
【００１３】
左右側面板３、３ａの中央から下側にかけては、前側が左右突起３ｂ、３ｃを残し切り取られ、左右垂下板３ｄ、３ｅのみとなっている。左右側面板３、３ａの前側から左右垂下板３ｄ、３ｅまでの長さは、ほぼブロック７の幅と一緒である。また、左右突起３ｂ、３ｃは、ブロック７の孔に嵌る大きさである。
【００１４】
左右側面板３、３ａの後側中央辺りには、可動板１ｂの固定部材４ｆが嵌る左右溝３ｆ、３ｇが空けられている。固定部材４ｆが嵌った後、可動板１ｂが上方に引かれたときに、固定部材４ｆが後ろに外れないようにするため、左右ストッパー３ｈ、３ｉが突起状に出ている。
【００１５】
ローラー５は、回転する棒で左右ひも６、６ａを掛けて滑車のように利用する。左右ひも６、６ａが掛ける部分には、左右ひも用溝５ｃ、５ｄが設けられており、左右ひも６、６ａが角で擦れたりするのを防ぐ、また、ローラー５によりブロック吊り下げ器１のバランスも取っている。
【００１６】
可動板１ｂは、背面板４、左右嵌め込み板４ａ、４ｂ、底面板４ｃ、固定部材４ｆ及びひも掛け部材４ｇからなり、背面板４には裏側から上側を抜けて前方にコの字型に左右嵌め込み板４ａ、４ｂが取り付けられ、下端には底面板４ｃが背面板４とは垂直に前方に向かって取り付けられている。
【００１７】
また、背面板４の中程には横方向に固定部材４ｆが取り付けられ、背面側で図１には示されていないが、左右嵌め込み板４ａ、４ｂの中程には横方向にひも掛け部材４ｇが取り付けられている。
【００１８】
背面板４には、中程に左右背面ひも用孔４ｄ、４ｅが空けられており、左右ひも６、６ａが通され、固定部材４ｆに固定されている。背面板４は、本体１ａとは完全に分離しており、本体１ａとは左右嵌め込み板４ａ、４ｂでのみ繋がっている。
【００１９】
左右嵌め込み板４ａ、４ｂは、コの字型をしており、先端が上面板２の左右嵌め込み用孔２ａ、２ｂに嵌められていて、左右嵌め込み板４ａ、４ｂを支点として可動板１ｂが開閉する。可動板１ｂをある程度開くと、左右嵌め込み板４ａ、４ｂの前面上側の角が上面板２に引っ掛かり、左右嵌め込み用孔２ａ、２ｂに入ってしまうということはない。
【００２０】
底面板４ｃは、左右突起３ｂ、３ｃにブロック７を嵌め込んだ後、ブロック７が落下しないように下から支える部分であり、固定部材４ｆは、底面板４ｃが後ろへ下がらないように、本体１ａに背面板４を固定するためのものである。
【００２１】
ロープ１ｃは、ブロック吊り下げ器１を吊り下げるためのもので、左右ひも６、６ａ、左右背面板用ひも６ｂ、６ｃ及び掛けひも６ｄからなり、掛けひも６ｄの部分を手などに掛けたり、クレーンなどに吊るしたりする。ロープ１ｃは軽量のブロック７、重量のブロック７を問わず、金属製のワイヤーロープを使用することもできる。
【００２２】
左右ひも６、６ａは、本体１ａを吊り下げるためのものである。左右ひも６、６ａの一端は固定部材４ｆに巻きつけられ、背面板４の左右背面ひも用孔４ｄ、４ｅから本体１ａの内部に入り、ローラー５に掛かるように通して、上面板２の左右上面ひも用孔２ｃ、２ｄから出ていく。他端は、左右ひも６、６ａが結ばれ、掛けひも６ｄに繋がる。
【００２３】
左右背面板用ひも６ｂ、６ｃは、可動板１ｂを引き上げるためのものある。左右ひも６、６ａの一端は、背面板４のひも掛け部材４ｇに付いた左右ひも掛け４ｈ、４ｉに取り付けられ、取り外すことができるようになっている。他端は、左右ひも６、６ａが結ばれる辺りに繋げられる。
【００２４】
ブロック吊り下げ器１を吊り下げる際は、掛けひも６ｄを手で持ったり、クレーンなどに掛けたりするが、左右背面板用ひも６ｂ、６ｃは、左右ひも６、６ａが左右上面ひも用孔２ｃ、２ｄから出ている部分よりも短いため、背面板４の左右ひも掛け４ｈ、４ｉに付いている場合は可動板１ｂを持ち上げることになる。
【００２５】
左右背面板用ひも６ｂ、６ｃが背面板４の左右ひも掛け４ｈ、４ｉから外されると、可動板１ｂは下がり、ブロック７は固定され、左右ひも６、６ａでのみブロック吊り下げ器１を吊り下げることになる。
【００２６】
図２は、本発明であるブロック吊り下げ器の正面図である。主に本体１ａの内側及び可動板１ｂの内側を示している。図１において隠れていたり、見えにくい部分について説明を追加する。
【００２７】
ブロック吊り下げ器１は、上面板２、左右側面板３、３ａ及びローラー５からなる本体１ａと、背面板４、左右嵌め込み板４ａ、４ｂ、底面板４ｃ、固定部材４ｆ及びひも掛け部材４ｇからなる可動板１ｂとからなるが、可動板１ｂのひも掛け部材４ｇは背面側にあるため、図２では見えない。
【００２８】
本体１ａと可動板１ｂとは、可動板１ｂの左右嵌め込み板４ａ、４ｂの先端である左右嵌め込み部分４ｊ、４ｋが、本体１ａの上面板２の左右嵌め込み用孔２ａ、２ｂに嵌め込まれ、左右回動軸４ｌ、４ｍにより留めることで、接続される。
【００２９】
可動板１ｂは、左右回動軸４ｌ、４ｍを中心として弧を描くように開くことができるが、左右嵌め込み板４ａ、４ｂの前面の上頂角付近が上面板２の左右嵌め込み用孔２ａ、２ｂに入らず引っ掛かることで、開き過ぎるのを抑えている。
【００３０】
ローラー５は、背面板４の左右背面ひも用孔４ｄ、４ｅに比べて上側に設けられている。ブロック吊り下げ器１が持ち上げられ、左右ひも６、６ａが引っ張られてローラー５の左右ひも用溝５ｃ、５ｄに掛かった際、左右ひも６、６ａの先端が巻きついている固定部材４ｆを背面板４ごと上に引き上げるためである。
【００３１】
ローラー５には、左右ひも６、６ａが当たる辺りに左右ひも用溝５ｃ、５ｄが設けられており、左右ひも６、６ａが一定の位置に来るようにしている。左右ひも６、６ａがローラー５上を滑ったりして、ブロック吊り下げ器１のバランスを崩さないためである。ローラー５に代えて、左右側面板３、３ａに滑車を取り付けて、左右ひも６、６ａを掛けても良い。
【００３２】
図３は、本発明であるブロック吊り下げ器の平面図である。主に本体１ａの上面板２及び可動板１ｂの上側を示している。図１及び図２において隠れていたり、見えにくい部分について説明を追加する。
【００３３】
ブロック吊り下げ器１のうち、本体１ａでは、上面板２、可動板１ｂでは、背面板４、左右嵌め込み板４ａ、４ｂ、固定部材４ｆ及びひも掛け部材４ｇが示され、他の部分は側面又は底面側にあるため見えない。
【００３４】
上面板２は、背面側は背面板４等が収まるため、左右両端以外が若干へこんでおり、左右垂下板３ｄ、３ｅの前面側と背面板４の前面側がほぼ同じ位置となる。また、鉄筋用溝２ｅは、降ろす先に鉄筋１６が立っていた場合に、ブロック７の孔に鉄筋１６を通しても邪魔にならないように設けた溝である。
【００３５】
可動板１ｂでは、背面板４の左右両端付近に上側から中央にかけて縦方向に左右嵌め込み板４ａ、４ｂが取り付けられており、左右嵌め込み板４ａ、４ｂの下側で背面板４の中央辺りに固定部材４ｆが横方向に取り付けられている。
【００３６】
また、左右嵌め込み板４ａ、４ｂの中程には横方向にひも掛け部材４ｇが取り付けられており、左右背面板用ひも６ｂ、６ｃを掛けるための左右ひも掛け４ｈ、４ｉが設けられている。ひも掛け部材４ｇ及び左右ひも掛け４ｈ、４ｉに関しては、運用時に操作しやすい位置に調整する。
【００３７】
可動板１ｂの背面板４の左右嵌め込み板４ａ、４ｂは、コの字型に曲がって、本体１ａの上面板２の左右嵌め込み用孔２ａ、２ｂに先端が入っていて、左右嵌め込み板４ａ、４ｂの左右回動軸４ｌ、４ｍを中心として可動板１ｂを動かすことができる。
【００３８】
図４は、本発明であるブロック吊り下げ器の側面図である。主に本体１ａの右側面板３ａを示しており、可動板１ｂの見えない部分に関しては点線で表している。図１から図３において隠れていたり、見えにくい部分について説明を追加する。
【００３９】
ブロック吊り下げ器１のうち、本体１ａの右側面板３ａ、可動板１ｂの背面板４、左右嵌め込み板４ａ、４ｂ、固定部材４ｆ及びひも掛け部材４ｇを示している。側面図は左右とも同じとなるため右側面図のみとしている。
【００４０】
左右側面板３、３ａは、前面側の下部分が空けられてあり、左右突起３ｂ、３ｃをブロック７の孔に入れた場合に、空いた部分にブロック７が収まる。ブロック７は、背面板４が下りたときには、底面板４ｃによって下から支えられる。
【００４１】
また、背面側の中程には、固定部材４ｆが入る溝が設けられている。固定部材４ｆは、左右ストッパー３ｈ、３ｉよりも奥に入るようになっており、左右ひも６、６ａにより引っ張られて上にずれたときに、固定部材４ｆが左右ストッパー３ｈ、３ｉに引っ掛かって後ろに戻らないようになっている。
【００４２】
本体１ａと可動板１ｂとは、可動板１ｂの左右嵌め込み板４ａ、４ｂの左右嵌め込み部分４ｊ、４ｋが、本体１ａの左右嵌め込み用孔２ａ、２ｂに掛けられているだけだが、左右ひも６、６ａが引かれたときは、可動板１ｂの固定部材４ｆが、本体１ａの左右ストッパー３ｈ、３ｉに掛かることで固定される。
【００４３】
左右ひも６、６ａは、固定部材４ｆから背面板４の左右背面ひも用孔４ｄ、４ｅから本体１ａの内部を通り、上面板２の左右上面ひも用孔２ｃ、２ｄから出て、掛けひも６ｄのところでまとまる。左右背面板用ひも６ｂ、６ｃは、ひも掛け部材４ｇの左右ひも掛け４ｈ、４ｉから出て、同様に掛けひも６ｄの辺りでまとまる。
【００４４】
図５は、本発明であるブロック吊り下げ器の背面図である。主に可動板１ｂの背面側をを示している。図１から図４において隠れていたり、見えにくい部分について説明を追加する。
【００４５】
ブロック吊り下げ器１のうち、本体１ａは、上面板２及び左右側面板３、３ａ、可動板１ｂは、背面板４、左右嵌め込み板４ａ、４ｂ、底面板４ｃ、固定部材４ｆ及びひも掛け部材４ｇが示されており、図２の正面図とは、符号が左右逆となっている。
【００４６】
可動板１ｂの背面板４には、左右嵌め込み板４ａ、４ｂが取り付けられており、左右嵌め込み板４ａ、４ｂが、本体１ａの上面板２の左右嵌め込み用孔２ａ、２ｂに掛けられている。背面板４には、固定部材４ｆ及びひも掛け部材４ｇも取り付けられている。
【００４７】
固定部材４ｆに巻きつけられた左右ひも６、６ａは、左右背面ひも用孔４ｄ、４ｅから本体１ａの内側に入り、左右上面ひも用孔２ｃ、２ｄから出る。左右背面板用ひも６ｂ、６ｃを左右ひも掛け４ｈ、４ｉから外した状態で、左右ひも６、６ａを引っ張ると、可動板１ｂ全体が若干上に移動し、固定部材４ｆが左右ストッパー３ｈ、３ｉに嵌って本体１ａに固定される。
【００４８】
左右ひも６、６ａを緩めると、可動板１ｂは下がり、固定部材４ｆも左右ストッパー３ｈ、３ｉから外れるので、左右背面板用ひも６ｂ、６ｃを左右ひも掛け４ｈ、４ｉに繋げてから引くことで、可動板１ｂを開くことができる。
【００４９】
図６は、本発明であるブロック吊り下げ器の底面図である。主に本体１ａ及び可動板１ｂの内側を示している。図１から図５において隠れていたり、見えにくい部分について説明を追加する。
【００５０】
ブロック吊り下げ器１のうち、本体１ａの上面板２、左右側面板３、３ａ及びローラー５、可動板１ｂの背面板４、底面板４ｃ及び左右嵌め込み板４ａ、４ｂの左右嵌め込み部分４ｊ、４ｋを示しており、図３の平面図とは、符号が左右逆となっている。
【００５１】
上面板２の左右嵌め込み用孔２ａ、２ｂには、左右嵌め込み板４ａ、４ｂの左右嵌め込み部分４ｊ、４ｋが差し込まれることで、本体１ａに可動板１ｂが接続されており、可動板１ｂは左右回動軸４ｌ、４ｍを中心に弧を描くように動く。
【００５２】
可動板１ｂは、前側へは固定部材４ｆが左右溝３ｆ、３ｇで止まるため左右垂下板３ｄ、３ｅの前面側辺りまで、後側へは左右嵌め込み板４ａ、４ｂが上面板２の左右嵌め込み用孔２ａ、２ｂに引っ掛かる所まで動かすことができる。
【００５３】
ローラー５は、左右側面板３、３ａの左右突起３ｂ、３ｃの上側辺りに通され、左右固定用金具５ａ、５ｂで留められるが、滑車のように回転する。ローラー５にある左右ひも用溝５ｃ、５ｄには、本体１ａの内部を通る左右ひも６、６ａが掛けられる。
【００５４】
図７は、本発明であるブロック吊り下げ器の可動板を上げた状態の側面図である。ブロック吊り下げ器１にブロック７をセットする際に、下側を支える底面板４ｃを後方に下げておくために行う。
【００５５】
左右背面板用ひも６ｂ、６ｃは、可動板１ｂのひも掛け部材４ｇの左右ひも掛け４ｈ、４ｉに接続しておく。左右背面板用ひも６ｂ、６ｃは、左右ひも６、６ａの本体１ａの上面板２の左右上面ひも用孔２ｃ、２ｄから出ている部分よりも短くなっているため、掛けひも６ｄから持ち上げ９ａを行ったときに可動板１ｂのひも掛け部材４ｇが上方に引っ張られる。
【００５６】
左右背面板用ひも６ｂ、６ｃによりひも掛け部材４ｇが引っ張られると、左右嵌め込み板４ａ、４ｂは、左右回動軸４ｌ、４ｍにより留められているため、先端を奥に入れるように動作し、底面板４ｃが後方移動９する。
【００５７】
掛けひも６ｄを持ち上げ９ａした際の可動板１ｂの開き具合は、左右ひも６、６ａと左右背面板用ひも６ｂ、６ｃとの長さの比率により変わるので、左右背面板用ひも６ｂ、６ｃの長さを変えたり、ひも掛け部材４ｇの位置等を変えることで調節する。
【００５８】
図８は、本発明であるブロック吊り下げ器のブロックを固定した状態の側面図である。ブロック吊り下げ器１にブロック７を固定して、吊り下げることができる状態にしたものである。
【００５９】
図７で示すように、可動板１ｂを後方に下げた状態のまま、左右側面板３、３ａの左右突起３ｂ、３ｃを、ブロック７の溝に上側から嵌め込む。ブロック７に孔が３つある場合は、左ブロック孔７ａ及び右ブロック孔７ｃの内側に嵌るようにする。
【００６０】
左右突起３ｂ、３ｃがブロック７に嵌ったら、掛けひも６ｄを緩める。可動板１ｂは元の位置に戻るように移動し、底面板４ｃがブロック７の下部分を支える形となり、ブロック７は上下から固定される。
【００６１】
ブロック７が固定されたら、可動板１ｂが再び後方移動９しないように、左右背面板用ひも６ｂ、６ｃをひも掛け部材４ｇの左右ひも掛け４ｈ、４ｉから取り外し９ｂを行う。ブロック吊り下げ器１は、左右ひも６、６ａだけで持ち上げることになる。
【００６２】
掛けひも６ｄを引き上げ９ｃすると、左右ひも６、６ａも上面板２側に引っ張られ、固定部材４ｆを上移動９ｄさせる。固定部材４ｆは左右ストッパー３ｈ、３ｉによりロックされ、可動板１ｂが後方移動９するのを防ぐ。
【００６３】
ブロック７を降ろす場合は、掛けひも６ｄを引いていない状態で左右背面板用ひも６ｂ、６ｃをひも掛け部材４ｇの左右ひも掛け４ｈ、４ｉに取り付け、掛けひも６ｄを引けば、可動板１ｂを後方移動９するので、ブロック吊り下げ器１を取り外すことができる。
【００６４】
図９は、本発明であるブロック吊り下げ器のブロックを固定した状態の斜視図である。ブロック７には、底面板４ｃで下側を押さえるために、下に台１０を敷いてスペースを設けている。
【００６５】
可動板１ｂを回動させて背面板４を後方に開いた状態で、ブロック７の左ブロック孔７ａ及び右ブロック孔７ｃに、本体１ａの左右側面板３、３ａにある左右突起３ｂ、３ｃを嵌め込んだ後、可動板１ｂを前方に戻して底面板４ｃで下側を押さえる。
【００６６】
本体１ａの左側面板３と右側面板３ａの幅は、ブロック７の左ブロック孔７ａの右側の壁と右ブロック孔７ｃの左側の壁との間隔にし、左右突起３ｂ、３ｃの幅は、左右ブロック孔７ａ、７ｃの幅にして、上側からしっかりと固定する。
【００６７】
上面板２の鉄筋用溝２ｅは、ブロック７の中ブロック孔７ｂに鉄筋１６を通す必要がある場合のために設けた隙間である。左ブロック孔７ａ又は右ブロック孔７ｃに鉄筋１６を通す場合は、左右突起３ｂ、３ｃが内側の壁に寄っていることから、中心に鉄筋１６が通っても問題はない。
【００６８】
ブロック７を吊り下げる際は、左右背面板用ひも６ｂ、６ｃを、ひも掛け部材４ｇの左右ひも掛け４ｈ、４ｉから取り外し、掛けひも６ｄを引く。左右ひも６、６ａはローラー５の左右ひも用溝５ｃ、５ｄに掛かり、固定部材４ｆごと可動板１ｂを引っ張る。
【００６９】
引っ張られた可動板１ｂは、左右側面板３、３ａの左右溝３ｆ、３ｇの上側の隙間の分だけ上がって、固定部材４ｆが左右ストッパー３ｈ、３ｉに掛かり、可動板１ｂが本体１ａにロックされて、底面板４ｃによって下側がしっかり固定される。
【００７０】
簡単にブロック７にブロック吊り下げ器１を取り付けることができ、ブロック７の上側と下側からしっかりと押さえつけているので、ブロック７が簡単に外れてしまうことはなく、掛けひも６ｄによりブロック吊り下げ器１を安全に吊り下げておくことができる。
【実施例２】
【００７１】
図１０は、本発明であるブロック吊り下げ器の左右突起の代わりに押さえ用板を設けた場合の斜視図である。ブロック等７ｄの孔や形状は一定とは限らず、左右側面板３、３ａの左右突起３ｂ、３ｃが常に嵌る訳ではない。
【００７２】
ブロック等７ｄに左右側面板３、３ａの左右突起３ｂ、３ｃを嵌めることができない場合には、左右突起３ｂ、３ｃは除去して、代わりに逆Ｌ字型の押さえ用板８ａをブロック吊り下げ器８に取り付ける。
【００７３】
押さえ用板８ａは、左右側面板３、３ａの間にブロック等７ｄを上側を覆うように取り付ける。左右押さえ８ｂ、８ｃのところで垂直に下に曲がり、ブロック等７ｄの前側を押さえる形となる。また、上面板２と同様に鉄筋１６が通ることを考慮して中央前側に鉄筋用溝８ｄを設けてある。
【００７４】
実施例１の場合と同様に、底面板４ｃで下側を押さえれば、多少横方向の強度が弱くなっているものの、上下からしっかりと押さえ付けているので、安全にブロック等７ｄを吊り下げることができる。
【００７５】
図１１は、本発明であるブロック吊り下げ器の押さえ用板を可動式にした場合の斜視図である。押さえ用板８ａを可動式にしたことで、幅の広いブロック等７ｄに対しても対応することができる。
【００７６】
押さえ用板８ａは、左右側面板３、３ａには固定せず、前後にスライド９ｉする。押さえ用板８ａが前に出るようにすることで、ブロック等７ｄの幅が左右側面板３、３ａの幅より広い場合でも、ブロック等７ｄを押さえることができる。
【００７７】
左右固定用ひも６ｅ、６ｆは、左右ひも６、６ａの延長であり、固定部材４ｆに掛けた後、再び可動板１ｂの左右背面ひも用孔４ｄ、４ｅから本体１ａの内部へと先端を伸ばし、左右ひも固定板８ｅ、８ｆで挟み込むことで、押さえ用板８ａに固定する。
【００７８】
押さえ用板８ａをスライド９ｉさせて引き出し、左右押さえ８ｂ、８ｃでブロック等７ｄを押さえ、可動板１ｂを回動させて底面板４ｃで挟んだ後、ロープ１ｃを引き上げると、左右ひも６、６ａが引かれることで左右固定用ひも６ｅ、６ｆも後方に引かれるので、押さえ用板８ａでしっかりとブロック等７ｄを固定することができる。
【００７９】
持ちづらい物に対しても応用可能であり、ブロック７及びコンクリート製品、石、その他幅の異なった製品でも、押さえ用板８ａと底面板４ｃで挟み込むことができ、実用及び利用可能である。
【００８０】
例えば、長方形状のコンクリート製のブロック７以外にも、柔らかく細工しやすい凝灰岩で建築用石材として広く利用されている大谷石や、結晶が美しく緻密堅硬な花崗岩で磨くと光沢が出る御影石など形状を問わず、様々な石材に対してもブロック吊り下げ器１を使用することができる。
【実施例３】
【００８１】
図１２は、本発明であるブロック吊り下げ器の目地幅調整板の斜視図である。目地幅調整板１１は、ブロック吊り下げ器１と組み合わせて使用することで、ブロック７同士の幅を一定に調整することができる。
【００８２】
ブロック７とブロック７の間には、モルタル１３をつめてブロック７同士を固定するが、ブロック７を並べていく際、モルタル１３の間隔の分だけ空けて並べていければ、後から位置を調整する手間が省ける。
【００８３】
目地幅調整板１１は、横板１１ａ及び縦板１１ｂからなり、横板１１ａに縦板１１ｂを垂直に取り付けたものである。横板１１ａは落下しないようにブロック７の上に載せておく部分であり、縦板１１ｂはブロック７の間隔を調整する部分で、幅がモルタル１３の幅と同じである。
【００８４】
図１３は、本発明であるブロック吊り下げ器の位置調整板の斜視図である。位置調整板１２は、図１２の目地幅調整板１１と同様にブロック吊り下げ器１と組み合わせて使用することで、ブロック７の位置を一定に調整することができる。
【００８５】
ブロック７は、ずれがないようにきっちりと並べていく必要がある。ブロック７を置いていく段階で、ブロック７のずれを確認し、調整できるようにしておけば、効率良く作業行うことができる。
【００８６】
位置調整板１２は、下側にブロック７を当てるための溝１２ａを設けたもので、上側には調整の目印となる基準線１２ｂを付けてある。ブロック７を置いた後、ブロック７の上に位置調整板１２を置いて、基準線１２ｂに合わせてブロック７の前後調整９ｆを行う。
【００８７】
位置調整板１２の基準線１２ｂはブロック７が嵌る溝１２ａよりも多少前にずれた部分に付けられている。ブロック７を積み上げて壁にする部分から少し離れて平行に張られる糸１５に合わせるためで、壁から少し離れているため、ブロック７を置く際、ブロック吊り下げ器１が糸１５に触れずに済む。
【００８８】
図１４は、本発明であるブロック吊り下げ器の目地幅調整板を使用した状況を示した正面図である。地面１４の上には、既にいくつかブロック７が並べて積んであり、新たにブロック７を置く様子を示している。
【００８９】
既に置かれたブロック７の横同士は、モルタル１３をつめて固定している。縦同士もモルタル１３をつめて固定するが、下の段のブロック７と上の段のブロック７は半分ずらして並べることで、壁の強度を高めている。
【００９０】
ブロック吊り下げ器１に吊るされたブロック７は、下移動９ｅして点線の位置に置かれるが、隣のブロック７に目地調整板１１を置いて、目地調整板１１に合わせてブロック吊り下げ器１を降ろしていくだけで、モルタル１３を埋める目地の分だけ隙間１３ａを確保できる。
【００９１】
図１５は、本発明であるブロック吊り下げ器の位置調整板を使用した状況を示した斜視図である。図１４に示すように目地調整板１１を使用してブロック７を置いた後、ブロック７の前後の位置を調整してずれを修正する。
【００９２】
ブロック７を並べていく際には、壁ができる位置と平行に糸１５を張っておく。糸１５を目印にしてブロック７を並べ、積み上げていけば、ずれたり傾いたりすることのない壁を作り上げることができる。
【００９３】
位置調整板１２を新たに置いたブロック７の上に左右２箇所程度載せる。位置調整板１２の基準線１２ｂが糸１５に合うようにブロック７を前後調整９ｆさせて位置を調整すれば、糸１５と平行に並べていくことができる。
【００９４】
位置を調整したら、目地調整板１１及び位置調整板１２は取り外し、ブロック７の左右の目地にモルタル１３を埋めて固定する。さらにブロック７を積み上げる場合は、既に並べたブロック７の上側にモルタル１３を敷いて、ブロック７を置く準備をする。
【実施例４】
【００９５】
図１６は、本発明であるブロック吊り下げ器の左右突起に調整板を取り付けた場合の斜視図である。ブロック７の孔のサイズは一定であるとは限らないので、様々なサイズに対応できるようにしたものである。
【００９６】
左右側面板３、３ａの左右突起３ｂ、３ｃは、想定されるブロック７の孔のサイズのうち、最も小さいものに合わせておく。左右突起３ｂ、３ｃよりも大きい孔のブロック７を吊り下げる場合は、左右突起３ｂ、３ｃの上に左右突起調整板１７、１７ａを取り付けて、ブロック７の孔に合わせる。
【００９７】
ブロック７の種類ごとにブロック吊り下げ器１を用意する必要はなく、左右突起調整板１７、１７ａのみを用意して付け替えれば済むので、経済的であり、かつ柔軟に対応することができる。
【実施例５】
【００９８】
図１７は、本発明であるブロック吊り下げ器の左右垂下板に調整板を取り付けた場合の斜視図である。ブロック７を垂直に積み上げていく場合に、ブロック７の前後の位置を合わせるためのものである。
【００９９】
ブロック吊り下げ器１の左右側面板３、３ａの左右垂下板３ｄ、３ｅに沿って下方向に左右垂下板調整板１７ｂ、１７ｃを取り付ける。左右垂下板調整板１７ｂ、１７ｃの前面の位置は、左右垂下板３ｄ、３ｅの前面の位置と同じにする。
【０１００】
ブロック７を縦に積み上げていく場合に、ブロック７の前後のずれを生じさせずに積み上げることができれば、後から微調整する手間や時間を短縮することができ、非常に効率的である。
【０１０１】
図１８は、本発明であるブロック吊り下げ器の垂下板調整板を使用した状況を示した側面図である。地面１４に既にいくつかのブロック７が積んである状態で、さらに新たにブロック７を前後のずれが生じないように載せる場合である。
【０１０２】
既に積んであるブロック７のうち一番上のブロック７の上面にモルタル１３を載せ、ブロック吊り下げ器１により新たにブロック７を載せる。ブロック吊り下げ器１には、ブロック７を吊るし、左右垂下板調整板１７ｂ、１７ｃを取り付ける。
【０１０３】
左右垂下板調整板１７ｂ、１７ｃは、ブロック吊り下げ器１よりも下側に伸びているので、ブロック吊り下げ器１を下移動９ｅするときに、左右垂下板調整板１７ｂ、１７ｃを既に積んであるブロック７の背面に当てながら降ろしていけば、下のブロック７とずれを生じることなく降ろすことができる。
【実施例６】
【０１０４】
図１９は、本発明であるブロック吊り下げ器の高さ調整器具の斜視図である。高さ調整器具１８は、金属製の上調整板１９及び下調整板１９ａからなり、上調整板１９の上板１９ｂと下調整板１９ａの下板１９ｃの外側からボルト１９ｄを通しナット１９ｅで連結して、くの字状になるように繋げたものである。
【０１０５】
上調整板１９と下調整板１９ａの一端は先が狭くなっていくように合わせるが、接続はしない。他端の上板１９ｂと下板１９ｃは平行になるように折り曲げ、ボルト１９ｄとナット１９ｅを通して、締めることで高さ調整器具１８の高さを調整できるようにする。調整はミリ単位で行うことができる。
【０１０６】
高さ調整器具１８は、ブロック吊り下げ器１で積み上げたブロック７同士を固定するために間に入れたモルタル１３の密度が偏っていたりして、壁の高さにばらつきが出たり、壁が傾いたりしたときに補修するためのものである。また、ブロック７が重い場合に、モルタル１３が潰れてしまうのを防ぐときにも使用する。
【０１０７】
図２０は、本発明であるブロック吊り下げ器の高さ調整器具を使用した状況を示した側面図である。地面１４の上にブロック７を何段か積み上げていき、ブロック７の高さや傾きを微調整する。
【０１０８】
上の段のブロック７と下の段のブロック７の間に入れたモルタル１３の複数箇所、好ましくは前側及び後側の４箇所に、モルタル１３が固まらないうちに、高さ調整器具１８を両側から差し込む。
【０１０９】
前後の高さ調整器具１８は、先端同士がかみ合うように差し込む。モルタル１３が完全に固まらないうちにボルト１９ｄとナット１９ｅを締めたり緩めたりして傾きがないように高さ調整９ｇしておく。
【０１１０】
図２１は、本発明であるブロック吊り下げ器の高さ調整器具を使用した後の状況を示した側面図である。高さ調整器具１８により高さや傾きを調整した後は、高さ調整器具１８を取り外し９ｈして壁を仕上げる。
【０１１１】
高さ調整器具１８が差し込まれた状態のままある程度待ち、モルタル１３が固まってきたら、高さ調整器具１８を取り外し９ｈする。高さ調整器具１８のあった箇所には孔が空くので、モルタル１３ｂを補充しておく。
【０１１２】
高さ調整器具１８を取り外し９ｈしたとき、モルタル１３の一部には貫通した孔が空くことになるが、高さ調整器具１８が差し込まれていない部分においてはモルタル１３が固まって安定しているので、壁が崩れるということはない。
【０１１３】
ブロック７を壁を積み上げてしまうと、後で高さのばらつきや傾きを発見しても、モルタル１３ｂを間につめ込んで調整するのは難しいが、高さ調整器具１８を利用することで容易に微調整することができる。
【図面の簡単な説明】
【０１１４】
【図１】本発明であるブロック吊り下げ器の斜視図である。
【図２】本発明であるブロック吊り下げ器の正面図である。
【図３】本発明であるブロック吊り下げ器の平面図である。
【図４】本発明であるブロック吊り下げ器の側面図である。
【図５】本発明であるブロック吊り下げ器の背面図である。
【図６】本発明であるブロック吊り下げ器の底面図である。
【図７】本発明であるブロック吊り下げ器の可動板を上げた状態の側面図である。
【図８】本発明であるブロック吊り下げ器のブロックを固定した状態の側面図である。
【図９】本発明であるブロック吊り下げ器のブロックを固定した状態の斜視図である。
【図１０】本発明であるブロック吊り下げ器の左右突起の代わりに押さえ用板を設けた場合の斜視図である。
【図１１】本発明であるブロック吊り下げ器の押さえ用板を可動式にした場合の斜視図である。
【図１２】本発明であるブロック吊り下げ器の目地幅調整板の斜視図である。
【図１３】本発明であるブロック吊り下げ器の位置調整板の斜視図である。
【図１４】本発明であるブロック吊り下げ器の目地幅調整板を使用した状況を示した正面図である。
【図１５】本発明であるブロック吊り下げ器の位置調整板を使用した状況を示した斜視図である。
【図１６】本発明であるブロック吊り下げ器の左右突起に調整板を取り付けた場合の斜視図である。
【図１７】本発明であるブロック吊り下げ器の左右垂下板に調整板を取り付けた場合の斜視図である。
【図１８】本発明であるブロック吊り下げ器の垂下板調整板を使用した状況を示した側面図である。
【図１９】本発明であるブロック吊り下げ器の高さ調整器具の斜視図である。
【図２０】本発明であるブロック吊り下げ器の高さ調整器具を使用した状況を示した側面図である。
【図２１】本発明であるブロック吊り下げ器の高さ調整器具を使用した後の状況を示した側面図である。
【符号の説明】
【０１１５】
１        ブロック吊り下げ器
１ａ      本体
１ｂ      可動板
１ｃ      ロープ
２        上面板
２ａ      左嵌め込み用孔
２ｂ      右嵌め込み用孔
２ｃ      左上面ひも用孔
２ｄ      右上面ひも用孔
２ｅ      鉄筋用溝
３        左側面板
３ａ      右側面板
３ｂ      左突起
３ｃ      右突起
３ｄ      左垂下板
３ｅ      右垂下板
３ｆ      左溝
３ｇ      右溝
３ｈ      左ストッパー
３ｉ      右ストッパー
３ｊ      左通し孔
３ｋ      右通し孔
４        背面板
４ａ      左嵌め込み板
４ｂ      右嵌め込み板
４ｃ      底面板
４ｄ      左背面ひも用孔
４ｅ      右背面ひも用孔
４ｆ      固定部材
４ｇ      ひも掛け部材
４ｈ      左ひも掛け
４ｉ      右ひも掛け
４ｊ      左嵌め込み部分
４ｋ      右嵌め込み部分
４ｌ      左回動軸
４ｍ      右回動軸
５        ローラー
５ａ      左固定用金具
５ｂ      右固定用金具
５ｃ      左ひも用溝
５ｄ      右ひも用溝
６        左ひも
６ａ      右ひも
６ｂ      左背面板用ひも
６ｃ      右背面板用ひも
６ｄ      掛けひも
６ｅ      左固定用ひも
６ｆ      右固定用ひも
７        ブロック
７ａ      左ブロック孔
７ｂ      中ブロック孔
７ｃ      右ブロック孔
７ｄ      ブロック等
８        ブロック吊り下げ器
８ａ      押さえ用板
８ｂ      左押さえ
８ｃ      右押さえ
８ｄ      鉄筋用溝
８ｅ      左ひも固定板
８ｆ      右ひも固定板
９        後方移動
９ａ      持ち上げ
９ｂ      取り外し
９ｃ      引き上げ
９ｄ      上移動
９ｅ      下移動
９ｆ      前後調整
９ｇ      高さ調整
９ｈ      取り外し
９ｉ      スライド
１０        台
１１        目地幅調整板
１１ａ      横板
１１ｂ      縦板
１２        位置調整板
１２ａ      溝
１２ｂ      基準線
１３        モルタル
１３ａ      隙間
１３ｂ      モルタル
１４        地面
１５        糸
１６        鉄筋
１７        左突起調整板
１７ａ      右突起調整板
１７ｂ      左垂下板調整板
１７ｃ      右垂下板調整板
１８        高さ調整器具
１９        上調整板
１９ａ      下調整板
１９ｂ      上板
１９ｃ      下板
１９ｄ      ボルト
１９ｅ      ナット
【図１】
2005132602.tif 000003
【図２】
2005132602.tif 000004
【図３】
2005132602.tif 000005
【図４】
2005132602.tif 000006
【図５】
2005132602.tif 000007
【図６】
2005132602.tif 000008
【図７】
2005132602.tif 000009
【図８】
2005132602.tif 000010
【図９】
2005132602.tif 000011
【図１０】
2005132602.tif 000012
【図１１】
2005132602.tif 000013
【図１２】
2005132602.tif 000014
【図１３】
2005132602.tif 000015
【図１４】
2005132602.tif 000016
【図１５】
2005132602.tif 000017
【図１６】
2005132602.tif 000018
【図１７】
2005132602.tif 000019
【図１８】
2005132602.tif 000020
【図１９】
2005132602.tif 000021
【図２０】
2005132602.tif 000022
【図２１】
2005132602.tif 000023